(57)【特許請求の範囲】
【請求項１】
山留工法や仮締切工法に用いられる切梁の端部又は中間部に取り付けられ、前記切梁の軸力を支持構造体に伝達する切梁受け具であって、
プレキャストモルタル製又はプレキャストコンクリート製の受け具本体を有し、この受け具本体には、一方向に沿って鉄筋が埋設されているとともに、両端が所定距離突出し、機械式継手などで継ぎ足して新設のコンクリート構造物と一体化可能となっており、且つ、この埋設された鉄筋と直交する方向に沿って端部が開放された溝が形成されていること
を特徴とする切梁受け具。
【請求項２】
前記受け具本体は、高強度モルタル又は高強度コンクリートからなること
を特徴とする請求項１に記載の切梁受け具。
【請求項３】
前記受け具本体は、繊維材が混練されたモルタル又はコンクリートから成形されていること
を特徴とする請求項１又は２に記載の切梁受け具。
【請求項４】
既設橋脚の補強のために既設橋脚の周りに鉄筋コンクリート構造物を新設する橋脚補強工法であって、
前記鉄筋コンクリート構造物の新設するための山留や仮締切の支保工として設ける切梁の端部又は中間部の前記鉄筋コンクリート構造物と干渉する位置に、請求項１ないし３のいずれかに記載の切梁受け具を設置すること
を特徴とする橋脚補強工法。
【発明の詳細な説明】
【技術分野】
【０００１】
本発明は、山留工法や仮締切工法に用いられる切梁の端部又は中間部に取り付けられ、切梁の軸力を橋脚などの支持構造体に伝達する切梁受け具に関し、詳しくは、既設橋脚等の補強工事におけるＲＣ巻立工事等の新設コンクリート構造物と切梁が干渉する場合において切梁の盛替の必要がない切梁受け具及びそれを用いた橋脚補強工法に関する。
【背景技術】
【０００２】
従来、このような既設橋脚の耐震補強工事等においては、既設橋脚の周りを鉄筋コンクリート（ＲＣ）を巻き立てること等が行われている。このような工事では、既設橋脚のフーチングが露出するまで掘り下げる必要があった。このとき、掘り残す橋脚周りの土砂が崩れないように鋼矢板（シートパイル）を設置する山留工事や、橋脚のフーチングが水中にある場合は、仮設の締切鋼板等で橋脚周りを締め切ってドライエリアを構築する仮締切工事が行われる。
【０００３】
このような既設橋脚の耐震補強工事等では、土圧や水圧で鋼矢板や締切鋼板等が倒壊しないように、腹起し等で鋼矢板や締切鋼板等を連結するとともに、土圧や水圧に対抗するため切梁を支保工として設置して既設橋脚から反力を得る必要があった。このため、既設橋脚を巻きたてる鉄筋コンクリートの打設の進捗に伴って、切梁を盛り替えなければならず、手間が掛かるという問題があった。
【０００４】
また、既設橋脚の周りに新設する鉄筋コンクリートの一度に打設する範囲を決める打設ロットの割付は、設置している切梁の位置に左右され、切梁の位置によっては打設回数が増えてしまうという問題もあった。さらに、切梁を設置している位置には、既設橋脚を巻きたてる鉄筋コンクリートの配筋を行うことができず、構造設計通りの鉄筋コンクリート構造物にすることができないという問題もあった。
【０００５】
これらの問題を解決するべく、特許文献１には、切梁山留工法における切梁の架設に当たり、該切梁と構築する鉄筋コンクリート構築物に配置される縦横の鉄筋との交差する位置に、前記切梁を連結・軸支し、且つ前記鉄筋の挿設が可能な空洞を形成した、剛体からなる連結具を、前記切梁の中間部又は端部に介設した切梁山留工法における切梁の連結具が開示されている（特許文献１の請求項１、明細書の段落［００１１］〜［００１７］、図面の図３、図６等参照）。
【０００６】
特許文献１に記載された切梁の連結具のような従来の切梁受け金具は、切梁の盛り替えを行わなくて済むように、既設橋脚の周りに巻き立てる鉄筋コンクリート構造物にそのまま存置されていた。
【０００７】
しかし、従来の切梁受け金具は、現状金属製であり、切梁受け金具を鉄筋コンクリート構造物に存置した場合は、切梁受け金具を被覆するコンクリートにおいて所定のかぶり厚さが取れないという問題があった。このため、塩害地域などでは、巻き立てた新設のコンクリート構造物の硬化後に切梁受け金具を斫り取ったうえ、断面修復したり、防錆処理を施したりする必要があった。このため、手間と工期が掛かかってしまうという問題があった。
【先行技術文献】
【特許文献】
【０００８】
【特許文献１】特開２００２−２０６２３８号公報
【発明の概要】
【発明が解決しようとする課題】
【０００９】
そこで、本発明は、前述した問題に鑑みて案出されたものであり、その目的とするところは、塩害地域であっても撤去したり防錆処理を施したりする必要がなく、且つ、耐久性の高い切梁受け具及びそれを用いた橋脚補強工法を提供することにある。
【課題を解決するための手段】
【００１０】
第１発明に係る切梁受け具は、山留工法や仮締切工法に用いられる切梁の端部又は中間部に取り付けられ、前記切梁の軸力を支持構造体に伝達する切梁受け具であって、プレキャストモルタル製又はプレキャストコンクリート製の受け具本体を有し、この受け具本体には、一方向に沿って鉄筋が埋設されているとともに、両端が所定距離突出し、機械式継手などで継ぎ足して新設のコンクリート構造物と一体化可能となっており、且つ、この埋設された鉄筋と直交する方向に沿って端部が開放された溝が形成されていることを特徴とする。
【００１１】
第２発明に係る切梁受け具は、第１発明において、前記受け具本体は、高強度モルタル又は高強度コンクリートからなることを特徴とする。
【００１２】
第３発明に係る切梁受け具は、第１発明又は第２発明において、前記受け具本体は、繊維材が混練されたモルタル又はコンクリートから成形されていることを特徴とする。
【００１３】
第４発明に係る橋脚補強工法は、既設橋脚の補強のために既設橋脚の周りに鉄筋コンクリート構造物を新設する橋脚補強工法であって、前記鉄筋コンクリート構造物の新設するための山留や仮締切の支保工として設ける切梁の端部又は中間部の前記鉄筋コンクリート構造物と干渉する位置に、請求項１ないし３のいずれかに記載の切梁受け具を設置することを特徴とする。
【発明の効果】
【００１４】
第１発明〜第４発明によれば、塩害地域であっても切梁受け具を撤去したり防錆処理を施したりする必要がない。また、第１発明〜第５発明によれば、設置している切梁の位置に左右されず、一度に打設するコンクリートの範囲及び分量を決めることができ、コンクリートの打設回数を抑えることができる。さらに、第１発明〜第５発明によれば、構造設計通りの鉄筋コンクリート構造物を構築することができ、耐久性の高い補強を行うことができる。
【００１５】
特に、第２発明によれば、受け具本体は、高強度モルタル又は高強度コンクリートからなるので、切梁に高い土圧や水圧が掛かった場合であっても切梁受け具が圧壊するおそれが少なくなる。
【００１６】
特に、第３発明によれば、受け具本体は、繊維材が混練されたモルタル又はコンクリートから成形されているので、切梁に高い土圧や水圧が掛かって圧壊する場合にも繊維材で脆性的な破壊を防ぐことができる。
【００１７】
特に、第４発明によれば、橋脚補強工法において切梁を盛り替える必要がなくなるだけでなく、塩害地域であっても切梁受け具を撤去したり防錆処理を施したりする必要がなくなり、橋脚補強工事のコストダウンを図ることができる。
【図面の簡単な説明】
【００１８】
【図１】本発明の実施形態に係る切梁受け具を示す斜視図である。
【図２】同上の切梁受け具の使用状態を示す側面図である。
【図３】同上の切梁受け具の別の使用状態を示す斜視図である。
【図４】図２の切梁受け具の部分拡大図である。
【図５】同上の切梁受け具を示す平面図である。
【図６】同上の切梁受け具を示す左側面図である。
【図７】同上の切梁受け具の切梁側を示す正面図である。
【図８】同上の切梁受け具の橋脚側を示す背面図である。
【発明を実施するための形態】
【００１９】
以下、本発明に係る切梁受け具を実施するための一実施形態について、図面を参照しながら詳細に説明する。
【００２０】
［切梁受け具］
先ず、図１〜図８を用いて、本発明の実施形態に係る切梁受け具について説明する。図１は、本発明の実施形態に係る切梁受け具１を示す斜視図である。図１に示すように、本実施形態に係る切梁受け具１は、水平断面がＨ字状となった受け具本体２と、この受け具本体２に埋設されている３本の鉄筋３，３，３などから構成されている。なお、一点鎖線で示す符号Ｓ１は、後述の新設のコンクリート構造物Ｐ２の主筋を配筋する位置を示している。
【００２１】
図２は、切梁受け具１の使用状態を示す側面図であり、図３は、切梁受け具１の別の使用状態を示す斜視図、図４は、図２の部分拡大図である。図２〜図４に示すように、図示形態では、橋脚Ｐ１の周りに耐震補強のため新設のコンクリート構造物Ｐ２を打ち増して巻き立てる場合を例示して説明する。
【００２２】
図２に示す符号ＳＰが、鋼矢板であるシートパイル、符号Ｈ１が、シートパイルＳＰを水平方向に連結する腹起し、Ｋ１が、その腹起しＨ１を支持する支保工としての切梁である。本実施形態に係る切梁受け具１は、図２〜図４に示すように、切梁Ｋ１の橋脚Ｐ１側の端部に取り付けられ、山留工法や仮締切工法に用いられる切梁Ｋ１の端部に取り付けられ、切梁Ｋ１の軸力を橋脚Ｐ１などの支持構造体に伝達する機能を有している。なお、矢印で示す符号Ａは、切梁Ｋ１の軸方向を示している。
【００２３】
（受け具本体）
図５は、本発明の実施形態に係る切梁受け具１を示す平面図であり、図６は、その左側面図である。図１、図５、図６に示すように、切梁受け具１の受け具本体２は、正方形状の板からなる切梁側フランジ部２１と、この切梁側フランジ部２１と略同形の橋脚側フランジ部２２と、これらの切梁側フランジ部２１と橋脚側フランジ部２２とを繋ぐウェブ部２３など、から構成されたプレキャストモルタル製の部材である。
【００２４】
受け具本体２は、工場等で予め鉄筋が配筋された鋼製型枠等の型枠内に高強度モルタルが打設されて一体成形されるプレキャストモルタル構造体である。ここで、高強度モルタル（高強度コンクリート）とは、一般的には、設計基準強度が50N/mm2以上のモルタル（
コンクリート）を指している。このように、受け具本体２を高強度モルタル製（高強度コンクリート）とすることにより、高い土圧や水圧が掛かり、切梁Ｋ１から高い軸力が作用する場合であっても切梁受け具１が圧壊するおそれが少なくなる。
【００２５】
また、前述の高強度モルタル（高強度コンクリート）には、繊維材が混練されている。このため、ひび割れや脆性的な破壊を抑える効果があり、土圧や水圧の急変に対する耐久性、安全性が向上するとともに、新設するコンクリート構造物Ｐ２の耐久性も向上する。
【００２６】
なお、モルタル又はコンクリートに混合する繊維材としては、鋼繊維や、炭素繊維、アラミド繊維などが一般的であり、ポリプロピレン、ポリエチレンなどのポリオレフィン繊維、ビニロン繊維などの合成繊維も用いることができる。要するに、繊維材は、モルタル又はコンクリートとの付着の相性が良く、比較的強度、弾性率が高い繊維であればよい。
【００２７】
＜切梁側フランジ部＞
図７は、切梁受け具１の切梁側の端面である切梁側フランジ部２１を示す切梁受け具１の正面図である。図７、図５に示すように、切梁側フランジ部２１は、内側の縦方向の角部が面取り（ひら面）成形された３１０ｍｍ角×６０ｍｍ厚のプレキャストモルタル製の部材であり、切梁Ｋ１の端部とボルト接合できるように４つのボルト孔２１ａが穿設されている。
【００２８】
＜橋脚側フランジ部＞
図８は、切梁受け具１の橋脚側の端面である橋脚側フランジ部２２を示す切梁受け具１の背面図である。図８、図５に示すように、橋脚側フランジ部２２は、切梁側フランジ部２１と線対称の略同形である、内側の縦方向の角部が面取り（ひら面）成形された３１０ｍｍ角×６０ｍｍ厚の部材であり、橋脚Ｐ１に設置された後施工アンカーとボルト接合できるように４つのボルト孔２２ａが穿設されている。この後施工アンカーとしては、一般的には、ケミカルアンカーやホールインアンカーなどが用いられる。
【００２９】
なお、このボルト孔２２ａは、既存の橋脚Ｐ１の鉄筋に邪魔されて後施工アンカーが正確な位置に設置できない場合を考慮し、横方向に長い長孔となっている。
【００３０】
＜ウェブ部＞
図１、図５に示すように、ウェブ部２３は、切梁側フランジ部２１と橋脚側フランジ部２２とを繋ぐ奥行１００ｍｍ×高さ３１０ｍｍ×幅９０ｍｍの部材であり、橋脚側フランジ部２２側に応力集中を防ぐハンチが形成されている。このため、橋脚Ｐ１が曲面であった場合でも橋脚側フランジ部２２とウェブ部２３との入り隅に応力が集中して破壊されるおそれが少なくなる。
【００３１】
（鉄筋）
また、このウェブ部２３には、異形鋼棒からなる３本の鉄筋３が埋設されている。この鉄筋３の呼び径や本数等は、補強部分である新設のコンクリート構造物Ｐ２の横筋に応じて適宜定められるものである。しかし、この鉄筋３のウェブ部２３からの突出長さは、機械式継手等の継手に必要な長さだけ、左右両端がウェブ部２３から突出している必要がある。なお、継手は、機械式継手に限られず、重ね継手やその他の継手であってもよいことは云うまでもない。
【００３２】
このように、本実施形態に係る切梁受け具１は、切梁側フランジ部２１と橋脚側フランジ部２２との間に、ウェブ部２３が形成された水平断面がＨ字状となっている。言い換えると、切梁受け具１の受け具本体２には、上下の端部が開放された溝が形成されている。このため、新設するコンクリート構造物Ｐ２を構成する鉄筋Ｓ１を配筋する際に、切梁受け具１への横方向からの入れ込みが容易となっている。
【００３３】
［橋脚補強工法］
次に、図２〜図４を用いて、本発明の実施形態に係る切梁受け具１の使用方法の一例である本発明の実施形態に係る橋脚補強工法について説明する。本実施形態に係る橋脚補強工法は、既設の橋脚Ｐ１の補強のために橋脚Ｐ１の周りに鉄筋コンクリート構造物Ｐ２を新設する橋脚補強工法であり、山留の支保工として設ける切梁Ｋ１の端部と新設する鉄筋コンクリート構造物Ｐ２と干渉する位置に、前述の切梁受け具１を設けることを特徴としている。
【００３４】
本実施形態に係る橋脚補強工法では、先ず、図２、図３に示すように、土留めとしてシートパイルＳＰや鋼製ケーシングＣなどを連結支持する腹起しＨ１等が取り付けられる。そして、この腹起しＨ１等と直交する方向に支保工として切梁Ｋ１が設置され、その切梁Ｋ１の橋脚Ｐ１側の端部に本発明の実施形態に係る切梁受け具１が設置される。
【００３５】
勿論、切梁受け具１が設置される位置は、補強する場所によっては、切梁Ｋ１の中間部に設けてもよい。なお、通常、切梁Ｋ１は、シートパイルＳＰに掛かる土圧の変動に対応できるように、図３に示すように、切梁Ｋ１の端部又は中間部にキリンジャッキＧを介在させて長さ調整可能とされている。図２は、切梁Ｋ１の途中を省略している。
【００３６】
切梁受け具１の設置は、切梁Ｋ１の端部と切梁受け具１の切梁側フランジ部２１とがボルト接合されるとともに、切梁受け具１の橋脚側フランジ部２２が、既存の橋脚Ｐ１に穿孔して取り付けた後施工アンカー等にボルト止めされることで固定されて設置される。
【００３７】
次に、シートパイルＳＰや鋼製ケーシングＣの橋脚Ｐ１側を掘削して所定の深さまで床堀を行う。掘削の進行に伴って、掘り残すシートパイルＳＰや鋼製ケーシングＣの外側の土砂が崩壊しないように、腹起しＨ１、切梁Ｋ１、及び切梁受け具１を前述の要領で追加して行き、橋脚Ｐ１の補強工事が可能な所定の深さまで掘削して行き、床堀が完了する。
【００３８】
そして、図４に示すように、橋脚Ｐ１の耐震補強として打ち増しする新設のコンクリート構造物Ｐ２の鉄筋Ｓ１等の配筋を行う。このとき、コンクリート構造物Ｐ２の配筋作業と並行して切梁受け具１の鉄筋３とコンクリート構造物Ｐ２の横筋（図示せず）とを機械式継手等で接続する。このため、切梁受け具１と新設のコンクリート構造物Ｐ２を強固に一体化することができる。
【００３９】
また、このとき、特許文献１に記載された従来の切梁の連結具のように、鉄筋を縦方向に差し込むだけしか配筋できないのと相違して、受け具本体２のＨ字状の形状のため、受け具本体２への横方からの鉄筋の入れ込みが可能である。このため、切梁受け具１の位置に拘わらず、コンクリート構造物Ｐ２の配筋の際の鉄筋の間隔調整等が極めて容易となっており、配筋の作業時間を短縮してコスト削減を図ることができる。
【００４０】
その後、木枠、型枠を設置し、コンクリートを打設して養生期間経過後、型枠を撤去する。この間、切梁受け具１及び切梁Ｋ１の位置を盛り替えたりする必要がない。
【００４１】
最後に、新設したコンクリート構造物Ｐ２の周りに土砂を埋め戻して行き、埋め戻しの進行に合わせて下から腹起しＨ１、切梁Ｋ１、及び切梁受け具１を順次撤去して行く。そして、シートパイルＳＰや鋼製ケーシングＣを引き抜いて橋脚Ｐ１の補強工事が完了する。
【００４２】
なお、特許文献１に記載された従来の切梁の連結具では、連結具が一般的に鋼製、少なくともモルタル製やコンクリート製ではないため、コンクリート構造物Ｐ２の表面の連結具を設置していた部分に、コンクリートやモルタルなどを埋めるなどして補修して表面を仕上げる必要があった。
【００４３】
しかし、本実施形態に係る切梁受け具１は、受け具本体２がプレキャストのモルタル製であるため、コンクリートやモルタルなどで埋める必要がなく、コンクリート構造物Ｐ２の表面仕上が必要ないか、又は、目違い程度の補修で済み、養生期間が殆ど必要なくなる。このため、橋脚Ｐ１の補強工事の工期を短縮することができる。
【００４４】
また、本実施形態に係る切梁受け具１は、橋脚補強工法において切梁を盛り替える必要がなくなるだけでなく、塩害地域であっても切梁受け具を撤去したり防錆処理を施したりする必要がなくなり、橋脚補強工事のコストダウンを図ることができる。
【００４５】
以上説明した実施形態に係る切梁受け具によれば、従来工法と比べて、工期を大幅に短縮して工事のコストを削減することができるとともに、危険な切梁等の盛替えが一切不要となり、安全性が向上する。
【００４６】
また、本実施形態に係る切梁受け具１によれば、切梁受け具１と新設のコンクリート構造物Ｐ２を強固に一体化することができるとともに、塩害地域であっても切梁受け具を撤去したり防錆処理を施したりする必要がない。
【００４７】
また、切梁の位置に左右されず、コンクリートの打設回数を抑えることができる。さらに、設置している切梁受け具の位置を避けるように鉄筋を配筋する必要がなく、構造設計通りの鉄筋コンクリート構造物を構築することができ、耐久性の高い補強を行うことができる。
【００４８】
その上、本実施形態に係る切梁受け具１によれば、切梁に高い土圧や水圧が掛かった場合であっても切梁受け具１が圧壊するおそれが少なくなるだけでなく、切梁に高い土圧や水圧が掛かって圧壊する場合にも切梁受け具１に混合されている繊維材で脆性的な破壊を防ぐことができる。
【００４９】
以上、本発明の実施形態に係る切梁受け具について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【符号の説明】
【００５０】
１                    ：切梁受け具
２                    ：受け具本体
２１                  ：切梁側フランジ部
２１ａ                ：ボルト孔
２２                  ：橋脚側フランジ部
２２ａ                ：ボルト孔
２３                  ：ウェブ部
３                    ：鉄筋
Ｈ１                  ：腹起し
Ｋ１                  ：切梁
Ｐ１                  ：橋脚
Ｐ２                  ：コンクリート構造物
Ｓ１                  ：鉄筋
ＳＰ                  ：シートパイル
Ｃ                    ：鋼製ケーシング
Ｇ                    ：キリンジャッキ
【要約】
【課題】塩害地域であってもコンクリート構造物の硬化後に撤去する必要がなく、耐久性の高い切梁受け具及びそれを用いた橋脚補強工法を提供する。
【解決手段】山留工法や仮締切工法に用いられる切梁の端部又は中間部に取り付けられ、前記切梁の軸力を支持構造体に伝達する切梁受け具において、プレキャストモルタル製又はプレキャストコンクリート製の受け具本体を設け、この受け具本体に、一方向に沿った鉄筋を埋設するとともに、両端を所定距離突出させ、機械式継手などで継ぎ足して新設のコンクリート構造物と一体化可能とし、且つ、この埋設された鉄筋と直交する方向に沿って端部が開放された溝を設ける。
【選択図】図１【図１】
0006022729.tif 000002
【図２】
0006022729.tif 000003
【図３】
0006022729.tif 000004
【図４】
0006022729.tif 000005
【図５】
0006022729.tif 000006
【図６】
0006022729.tif 000007
【図７】
0006022729.tif 000008
【図８】
0006022729.tif 000009